(57)【要約】【課題】動画データと字幕データとを含む動画ファイルに基づいて静止画と字幕とを含む画像を印刷する。【解決手段】画像ファイルに含まれる動画データを静止画データに変換する画像変換部（１４）と、上記静止画データに対応する静止画と上記画像ファイルに含まれる字幕データに対応する字幕画像とを含む画像を記録材上に印刷するための印刷データを生成する印刷データ生成部（１６）とを備える。【選択図】図１
2015026913.tif 000002
【特許請求の範囲】
【請求項１】
画像ファイルに含まれる動画データを静止画データに変換する画像変換部と、
上記静止画データに対応する静止画と上記画像ファイルに含まれる字幕データに対応する字幕画像とを含む画像を記録材上に印刷するための印刷データを生成する印刷データ生成部とを備えていることを特徴とする印刷データ生成装置。
【請求項２】
上記動画データは、静止画からなるコマが複数組み合わされることによって構成されており、
上記画像変換部は、上記動画データを構成する複数のコマのうちの一部を抽出することにより、上記動画データを上記静止画データに変換することを特徴とする請求項１に記載の印刷データ生成装置。
【請求項３】
上記画像変換部は、上記字幕データに対応する字幕画像の内容が切り替わるタイミング毎に上記コマを抽出することを特徴とする請求項２に記載の印刷データ生成装置。
【請求項４】
上記画像変換部は、上記字幕データに対応する字幕画像の内容が切り替わる周期に応じて、１つの字幕画像の表示期間毎に所定数の上記コマが抽出されるように上記コマの抽出タイミングを設定することを特徴とする請求項２に記載の印刷データ生成装置。
【請求項５】
上記印刷データ生成部は、上記字幕画像が上記静止画の一部に重畳する位置に印刷されるように上記印刷データを生成することを特徴とする請求項１から４のいずれか1項に記載の印刷データ生成装置。
【請求項６】
上記印刷データ生成部は、上記字幕画像が上記静止画と重畳しない位置に印刷されるように上記印刷データを生成することを特徴とする請求項１から４のいずれか1項に記載の印刷データ生成装置。
【請求項７】
上記印刷データ生成部は、上記静止画の印刷サイズに応じて、またはユーザからの指示入力に応じて、上記静止画の印刷サイズに対する上記字幕画像の印刷サイズの比率を設定することを特徴とする請求項１から６のいずれか１項に記載の印刷データ生成装置。
【請求項８】
ユーザからの指示入力を受け付ける指示入力部を備え、
上記印刷データ生成部は、上記静止画と上記字幕画像とを含む画像を印刷するための印刷データを生成するか、あるいは、上記静止画を印刷せずに上記字幕画像を印刷するための印刷データを生成するかを、ユーザからの指示入力に応じて設定することを特徴とする請求項１から７のいずれか１項に記載の印刷データ生成装置。
【請求項９】
ユーザからの指示入力を受け付ける指示入力部を備え、
上記印刷データ生成部は、上記静止画と上記字幕画像とを含む画像を印刷するための印刷データを生成するか、あるいは、上記字幕画像を印刷せずに上記静止画を印刷するための印刷データを生成するかを、ユーザからの指示入力に応じて設定することを特徴とする請求項１から８のいずれか１項に記載の印刷データ生成装置。
【請求項１０】
請求項１から９のいずれか１項に記載の印刷データ生成装置と、
印刷データに応じた画像を記録材上に印刷する印刷処理部とを備えていることを特徴とする画像形成装置。
【請求項１１】
画像ファイルに含まれる動画データを静止画データに変換する画像変換工程と、
上記静止画データに対応する静止画と上記画像ファイルに含まれる字幕データに対応する字幕画像とを含む画像を記録材上に印刷するための印刷データを生成する印刷データ生成工程とをコンピュータに実行させることを特徴とする印刷データ生成方法。
【請求項１２】
コンピュータを請求項１から９のいずれか１項に記載の印刷データ生成装置に備えられる上記画像変換部および上記印刷データ生成部として機能させるためのプログラム。
【請求項１３】
請求項１２に記載のプログラムを記録したコンピュータ読み取り可能な記録媒体。
【発明の詳細な説明】
【技術分野】
【０００１】
本発明は、動画データに基づいて静止画の印刷データを作成する印刷データ生成装置、画像形成装置、印刷データ生成方法、プログラムおよび記録媒体に関するものである。
【背景技術】
【０００２】
従来、動画データを静止画データに変換する動画/静止画変換処理をパソコン等のホスト側機器で行い、変換した静止画をプリンタに送って印刷する技術が知られている。
【０００３】
例えば、特許文献１には、動画データの各フレームをシート状の媒体に印刷するで、印刷された複数枚の静止画を素早く捲ることにより動画として認識することのできる印刷物を生成することが記載されている。
【０００４】
また、特許文献２には、外部から入力された動画データを静止画データに変換する機能を備えた動画像プリンタが開示されている。
【先行技術文献】
【特許文献】
【０００５】
【特許文献１】特開２００５−８８５３３号公報（２００５年４月７日公開）
【特許文献２】特開２００１−７８１２７号公報（２００１年３月２３日公開）
【発明の概要】
【発明が解決しようとする課題】
【０００６】
ところで、動画データの中には、動画データと字幕データとが同じ画像ファイルにまとめて収容されているものがある。
【０００７】
しかしながら、上記特許文献１，２では、字幕データが含まれている動画ファイルの印刷については考慮されておらず、動画を静止画に変換して印刷することはできても、動画から変換した静止画とともに字幕を印刷することができない。
【０００８】
本発明は、上記の問題点に鑑みて成されたものであり、その目的は、動画データと字幕データとを含む動画ファイルに基づいて静止画と字幕とを含む画像を印刷するための印刷データを作成することのできる印刷データ生成装置および印刷データ生成方法を提供することにある。
【課題を解決するための手段】
【０００９】
本発明の一態様にかかる印刷データ生成装置は、画像ファイルに含まれる動画データを静止画データに変換する画像変換部と、上記静止画データに対応する静止画と上記画像ファイルに含まれる字幕データに対応する字幕画像とを含む画像を記録材上に印刷するための印刷データを生成する印刷データ生成部とを備えていることを特徴としている。
【発明の効果】
【００１０】
上記の構成によれば、動画データと字幕データとを含む動画ファイルに基づいて静止画と字幕とを含む画像を印刷するための印刷データを作成することができる。
【図面の簡単な説明】
【００１１】
【図１】本発明の一実施形態にかかる画像形成装置の構成を示す説明図である。
【図２】図１に示した画像形成装置における処理の流れを示すフローチャートである。
【図３】図１に示した画像形成装置による印刷出力の一例を示す説明図である。
【図４】図１に示した画像形成装置による印刷出力の一例を示す説明図である。
【図５】図１に示した画像形成装置による印刷出力の一例を示す説明図である。
【図６】図１に示した画像形成装置による印刷出力の一例を示す説明図である。
【図７】図１に示した画像形成装置による印刷出力の一例を示す説明図である。
【図８】図１に示した画像形成装置による印刷出力の一例を示す説明図である。
【発明を実施するための形態】
【００１２】
〔実施形態１〕
本発明の一実施形態について説明する。
【００１３】
（１−１．画像形成装置１の構成）
図１は、本実施形態にかかる画像形成装置（印刷データ生成装置）１の概略構成を示す説明図である。図１に示すように、画像形成装置１は、通信部１１、メモリ読取部１２、ファイル判別部１３、画像変換部１４、データ分離部１５、印刷データ生成部１６、印刷データ記憶部１７、および印刷処理部１８を備えている。
【００１４】
通信部１１は、他の装置との通信を行って画像ファイルを取得し、ファイル判別部１３に伝達する。通信部１１において用いられる通信方法は特に限定されるものではなく、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網などを利用できる。また、通信部１１で用いられる伝送媒体としては、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でもよい。
【００１５】
メモリ読取部１２は、画像形成装置１に対して着脱可能な各種記録媒体（例えばＵＳＢメモリ、カードメモリ等）が装着されるようになっており、装着された記録媒体から画像ファイルを読み出し、ファイル判別部１３に伝達する。
【００１６】
ファイル判別部１３は、通信部１１またはメモリ読取部１２から入力された画像ファイルが動画ファイルであるか否かを判別し、判別結果と画像ファイルとを画像変換部１４に出力する。
【００１７】
画像変換部（動画／静止画変換部）１４は、ファイル判別部１３において動画ファイルであると判別された場合に、その動画ファイルに含まれる動画データを静止画データに変換して静止画ファイルを生成し、データ分離部１５に出力する。
【００１８】
データ分離部１５は、画像変換部１４から入力される静止画ファイルに字幕データが含まれている場合に、当該静止画ファイルに含まれている静止画データと字幕データとを分離し、それら各データを印刷データ生成部１６に出力する。なお、静止画ファイルに字幕データが含まれているか否かの判別処理は、データ分離部１５が行うようにしてもよく、ファイル判別部１３が行って判別結果をデータ分離部１５に伝達するようにしてもよい。
【００１９】
印刷データ生成部１６は、データ分離部１５から入力された静止画データおよび字幕データをそれぞれ展開して合成し、印刷データを生成する。印刷データ生成部１６によって生成された印刷データは印刷データ記憶部１７に一旦記憶され、所定のタイミングで読み出されて印刷処理部１８に出力される。
【００２０】
印刷処理部１８は、印刷データ生成部１６から入力された印刷データに応じた画像を用紙等の記録材上に印刷する。印刷処理部１８の構成は特に限定されるものではなく、例えば、電子写真方式のプリンタ、インクジェット方式のプリンタ、昇華型プリンタなどを用いることができる。
【００２１】
なお、本実施形態では、画像形成装置１が、他の装置で生成された動画ファイルを通信部１１またはメモリ読取部１２を介して取得するものとしているが、これに限らず、例えば画像形成装置１自体が動画ファイルを生成する機能と生成した動画ファイルに基づいて静止画の印刷を行う機能とを有していていもよい。
【００２２】
（１−２．印刷データ生成処理）
図２は、画像形成装置１における印刷データ生成処理の流れを示すフローチャートである。
【００２３】
まず、通信部１１またはメモリ読取部１２が画像ファイルを取得すると（Ｓ１）、ファイル判別部１３が、取得した画像ファイルが動画ファイルであるか否かを判断する（Ｓ２）。
【００２４】
Ｓ２においてファイル判別部１３が動画ファイルではないと判断した場合、すなわち静止画ファイルであると判断した場合、静止画印刷処理を行い（Ｓ３）、処理を終了する。静止画印刷処理では、印刷データ生成部１６が画像ファイルに含まれる静止画データを展開して印刷データを生成して印刷データ記憶部１７に一旦記憶させ、印刷処理部１８が印刷データ記憶部１７に記憶されている印刷データを読み出して用紙等の記録材上に印刷する。
【００２５】
一方、Ｓ２においてファイル判別部１３が動画ファイルであると判断した場合、画像変換部１４が画像ファイルに含まれている動画データを静止画データに変換し（Ｓ４）、静止画データを含む画像ファイルをデータ分離部１５に出力する。
【００２６】
なお、本実施形態では、動画データは複数コマの静止画によって構成されており、所定コマ毎に静止画を抽出（サンプリング）することにより静止画データに変換する。例えば、３０ｆｐｓの動画データは１秒あたり３０コマの静止画によって構成されており、１または複数コマ毎に静止画を抽出することで動画データに対応する１または複数の静止画データを生成するようになっている。静止画を何コマ毎に抽出するかは、ユーザが画像形成装置１に備えられる操作パネル（図示せず）を介して任意に設定する。ただし、これに限らず、例えば、１枚の出力用紙に出力する静止画の数、動画データにおける１秒あたりのコマ数、動画データ全体のコマ数、出力用紙の枚数、あるいはこれらの組み合わせに応じた抽出コマ数の設定条件を予め設定しておき、データ分離部１５がその設定条件に応じて自動的に決定するようにしてもよい。
【００２７】
データ分離部１５は、画像変換部１４から画像ファイルを受け取ると、その画像ファイルに字幕データが含まれているか否かを判断する（Ｓ５）。
【００２８】
Ｓ５において字幕データが含まれていないと判断した場合、データ分離部１５は画像変換部１４から受け取った画像ファイルに含まれる静止画データを印刷データ生成部１６に出力し、印刷データ生成部１６はデータ分離部１５から受け取った静止画データをフレームメモリ（図示せず）上に展開する（Ｓ６）。
【００２９】
一方、Ｓ５において字幕データが含まれていると判断した場合、データ分離部１５は、画像ファイルに含まれている静止画データと字幕データとを分離し（Ｓ７）、静止画データと字幕データとを印刷データ生成部１６に出力する。
【００３０】
例えば、ＤＶＤ−ｖｉｄｅｏ規格で用いられる動画ファイルのフォーマットであるＶＯＢファイルの場合、字幕データは動画データと共にＶＯＢファイルの中にＴＩＦＦ画像データとして格納されているので、このＴＩＦＦ画像からなる字幕データを動画データと分離する。
【００３１】
印刷データ生成部１６は、データ分離部１５から受け取った静止画データをフレームメモリ（図示せず）上に展開するとともに（Ｓ８）、字幕データに応じた画像を上記フレームメモリ上の所定の位置に配置（レイアウト）する（Ｓ９）。
【００３２】
Ｓ６またはＳ９においてフレームメモリ上に静止画（あるいは静止画および字幕）を展開した後、印刷データ生成部１６は、フレームメモリ上に展開された静止画の数が所定数に達したか否かを判断する（Ｓ１０）。本実施形態では、１枚の出力用紙上にユーザの指示に応じて任意の数の静止画を配置して印刷できるようになっており、上記所定数は１枚の出力用紙上に印刷される静止画の数に設定されている。
【００３３】
Ｓ１０において静止画の数が所定数に達していないと判断した場合（Ｓ１０）、Ｓ４に戻って次の静止画データの変換が行われる。
【００３４】
一方、Ｓ１０において静止画の数が所定数に達したと判断した場合、印刷データ生成部１６はフレームメモリ上に展開された画像に対応する印刷データを生成して印刷データ記憶部１７に一旦記憶させる（Ｓ１１）。その後、印刷データ記憶部１７に記憶された印刷データが所定のタイミングで印刷処理部１８に読み出され、印刷処理部１８によって印刷処理が行われる（Ｓ１２）。
【００３５】
その後、ファイル判別部１３が、印刷処理が終了するか否かを判断し（Ｓ１３）、終了しない場合にはＳ４移行の処理が継続される。
【００３６】
（１−３．印刷出力例）
図３は、動画データおよび当該動画データに基づく印刷出力の一例を示す説明図である。
【００３７】
図３の上段に示したように、この例では、動画データは「ＡＢＣＤＥＦＧＨ・・・」という文字画像が右から左へ移動していくようになっており、画面下端部の近傍に「ＡＢＣＤＥＦＧＨ」という字幕が表示されるようになっている。印刷出力では、動画データから所定コマ毎の静止画が抽出され、抽出された静止画と字幕とが重畳されて印刷されるようになっている。また、図３の例では、１枚の出力用紙上に９コマ分の静止画が印刷されるようになっている。
【００３８】
なお、１枚の出力用紙上に印刷される静止画の数は、ユーザが画像形成装置１に備えられる操作パネル（図示せず）等を介して任意に指定できるようにしてもよい。
【００３９】
また、図３の例では、静止画と字幕とを印刷しているが、これに限らず、例えば、（ｉ）静止画と字幕の両方を印刷、（ｉｉ）静止画を印刷せずに字幕のみを印刷、（ｉｉｉ）字幕を印刷せずに静止画のみを印刷、のうちのいずれの処理を行うかをユーザが画像形成装置１に備えられる操作パネル（図示せず）等を介して任意に指定できるようにしてもよい。
【００４０】
また、画像ファイルから分離した字幕データをテキストデータに変換し、字幕データをテキストデータとして印刷出力するようにしてもよい。
【００４１】
また、図３の例では、静止画と字幕とを重畳させて配置しているが、これに限るものではない。例えば、図４に示すように、静止画の印刷領域の近傍に静止画と字幕とが重畳しないように配置してもよい。
【００４２】
また、字幕を静止画と重畳させて配置するか、字幕と静止画とを重畳しないように配置するかをユーザが画像形成装置１に備えられる操作パネル（図示せず）等を介して任意に指定できるようにしてもよい。
【００４３】
また、字幕の配置位置をユーザが画像形成装置１に備えられる操作パネル（図示せず）等を介して任意に指定できるようにしてもよい。例えば、静止画の下端部近傍、左端部近傍、右端部近傍、上端部近傍のうちのいずれに配置するか、および字幕を静止画と重畳させるか否かをユーザが任意に選択できるようにしてもよい。
【００４４】
〔実施形態２〕
本発明の他の実施形態について説明する。なお、説明の便宜上、実施形態１と同じ機能を有する部材には実施形態１と同じ符号を付し、その説明を省略する。
【００４５】
実施形態１では、動画データからの静止画のサンプリングレート（何コマ毎に静止画を抽出するか）を、ユーザが任意に設定するものとしていた。これに対して、本実施形態では、図５に示すように、字幕が切り替わるタイミング毎に静止画の抽出を行う。
【００４６】
具体的には、図２におけるＳ４の処理において、画像変換部１４は、画像ファイルに含まれる字幕データに基づいて字幕の内容が切り替わるタイミングを検出し、字幕の内容が切り替わる毎に画像データに含まれる動画データから静止画を抽出する。その他の処理は実施形態１と同様である。
【００４７】
一般に、字幕付きの動画の場合、字幕が切り替わるタイミングは動画像の内容が大きく変化するタイミングと一致している場合が多い。このため、本実施形態のように字幕が切り替わるタイミング毎に動画から静止画を抽出して印刷する構成にすることにより、動画全体から適切なコマの静止画を抽出して印字することができる。
【００４８】
すなわち、動画像のコマは３０ｆｐｓの動画の場合、１秒間に３０コマ有り、全てのコマを印字すると膨大なものとなるので、ユーザがどのコマを抽出して印字するかを選択操作するのは容易でない。これに対して、本実施形態によれば、字幕が切り替わるタイミング毎に静止画を抽出して印刷することにより、動画を構成する膨大な静止画の中から動画の内容に応じて適切なコマの静止画を容易に抽出して印刷させることができる。
【００４９】
なお、上述した図５の例では、字幕が切り替わる毎に１枚の静止画を抽出しているが、これに限らず、例えば図６に示すように、字幕が切り替わるタイミングに応じて、１つの字幕あたり複数枚の静止画を抽出するようにしてもよい。この場合、例えば、ユーザが画像形成装置１の操作パネル（図示せず）を介して字幕単位あたり（１つの字幕あたり）に抽出する静止画の数を指定するようにしてもよい。これにより、動画を構成する膨大な静止画の中から動画の内容に応じて適切なコマ数の静止画を容易に抽出して印刷させることができる。
【００５０】
なお、１つの字幕あたり複数枚の静止画を抽出する場合、例えば、図２におけるＳ４の処理において、画像変換部１４が、画像ファイルに含まれる字幕データに基づいて字幕が切り替わる周期を検出し、１つの字幕に対応する期間をユーザの指定した１つの字幕あたりの抽出する静止画の数に等時間間隔で分割し、分割した時間毎に静止画の抽出を行うようにすればよい。その他の処理は実施形態１と同様である。
【００５１】
〔実施形態３〕
本発明のさらに他の実施形態について説明する。なお、説明の便宜上、上述した実施形態と同様の機能を有する部材については当該実施形態と同じ符号を付し、その説明を省略する。
【００５２】
上述した各実施形態では、出力用紙上に印刷される字幕のサイズと当該字幕に対応する静止画のサイズとの比率を一定にしていた。これに対して、本実施形態では、出力用紙上に印刷される字幕のサイズをユーザが画像形成装置１の操作パネル（図示せず）を介して任意に設定できるようになっている。
【００５３】
例えば、字幕のサイズと静止画像のサイズとを入力された画像ファイルにおける設定どおりに印刷すると、図７の中段に示すように、出力用紙上に複数の静止画を並べて印刷する場合には字幕サイズが小さくなりすぎて視認しにくくなる。そのような場合、図７の下段に示すように、字幕を拡大して静止画と合成することで印刷データを生成するようにしてもよい。
【００５４】
なお、１枚の出力用紙上に配置する静止画の数が少ない場合などには、字幕サイズと静止画サイズとの比率を入力画像ファイルの設定のままにすると字幕が目立ちすぎる場合がある。そのような場合には、字幕を縮小して静止画と合成することで印刷データを生成するようにしてもよい。
【００５５】
また、図７の例では、変倍処理を施した字幕を静止画と重畳させて配置しているが、これに限らず、図８に示すように変倍処理を施した字幕を静止画と重畳しない位置に配置してもよい。また、字幕を静止画と重畳させて印刷する場合には静止画に対する字幕のサイズの比率を変更せず、字幕を静止画と重畳させずに印刷する場合には静止画に対する字幕のサイズの比率を変更するというように、条件に応じて字幕サイズの設定を変更するようにしてもよい。
【００５６】
〔実施形態４〕
上記各実施形態において、静止画とともに字幕を印刷するか否かをユーザが画像形成装置１の操作パネル（図示せず）を介して選択するようにしてもよい。これにより、例えば、綺麗な風景の動画に基づく印刷を行う場合など、字幕を印刷せずに風景の画像のみを印刷したい場合などに、ユーザの指示に応じて静止画のみを印字することができる。
【００５７】
〔実施形態５〕
上記各実施形態において、印刷データ生成部１６が印刷対象の字幕データを文字データに変換するとともに、予め登録されている複数種類のフォントを操作パネル（図示せず）の表示部に表示させ、上記文字データを操作パネルを介してユーザが選択したフォントで印刷するための上記印刷データを生成するようにしてもよい。
【００５８】
〔実施形態６〕
上記各実施形態において、データ分離部１５によって画像ファイルから抽出された字幕データに対応する文字の一部または全部をユーザが操作パネルを介して編集（あるいは差換）可能とし、印刷データ生成部１６がユーザによって編集（あるいは差換）された字幕データ（文字データ）を用いて印刷データを生成するようにしてもよい。
【００５９】
〔実施形態７〕
上記各実施形態において、画像形成装置１に、表示部とユーザからの指示を受け付ける指示入力部とを有する操作パネルを備え、ユーザが操作パネルを介して印刷対象とする静止画のコマ編集（静止画の入れ替え）、１枚の出力用紙上に配置する静止画の数、抽出する静止画の動画を構成する全静止画の数に対する割合（サンプリングレート）などを設定可能な構成としてもよい。
【００６０】
〔実施形態８〕
上記各実施形態において、画像形成装置１に、表示部とユーザからの指示を受け付ける指示入力部とを有する操作パネルと、動画データに応じた動画を上記表示部に表示させる動画再生処理部とを備え、動画再生処理部がユーザからの指示に応じて上記表示部に表示させる動画の一時停止、コマ送りなどを行うとともに、ユーザが印刷対象とする静止画のコマの選定や静止画の抽出方法等の設定を行うようにしてもよい。なお、動画再生処理部は、例えば動画再生ソフトに応じた処理を実行するＣＰＵ等の演算処理部によって実現されるものであってもよい。
【００６１】
〔実施形態９〕
上記各実施形態では、画像ファイルに含まれる動画データから抽出した静止画と、上記画像ファイルに含まれる字幕とを印刷する構成について説明したが、これに限らず、静止画および字幕に加えて画像ファイルから得られる他の情報を印刷するようにしてもよい。例えば、動画データのフレームレート（単位時間あたりのフレーム数；ｆｐｓ）、動画ファイルのタイトル、日付などの情報を出力用紙の端部近傍等に含めて印刷するようにしてもよい。また、出力用紙の一方の面に印刷する構成としてもよく、両面に印刷する構成としてもよい。また、複数枚の出力用紙を綴じる際の綴じ位置（例えば横綴じ、縦綴じなど）に応じて、静止画および字幕の配置位置を変更するようにしてもよい。
【００６２】
〔実施形態１０：ソフトウェアによる実現例〕
上記各実施形態において、画像形成装置１の制御ブロック（ファイル判別部１３、画像変換部１４、データ分離部１５、および印刷データ生成部１６）は、集積回路（ＩＣチップ）等に形成された論理回路（ハードウェア）によって実現してもよいし、ＣＰＵ（Central Processing Unit）を用いてソフトウェアによって実現してもよい。
【００６３】
後者の場合、画像形成装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６４】
〔まとめ〕
本発明の態様１にかかる印刷データ生成装置（画像形成装置１）は、画像ファイルに含まれる動画データを静止画データに変換する画像変換部１４と、上記静止画データに対応する静止画と上記画像ファイルに含まれる字幕データに対応する字幕画像とを含む画像を記録材上に印刷するための印刷データを生成する印刷データ生成部１６とを備えていることを特徴としている。
【００６５】
上記の構成によれば、動画データと字幕データとを含む動画ファイルに基づいて静止画と字幕とを含む画像を印刷するための印刷データを作成することができる。
【００６６】
本発明の態様２にかかる印刷データ生成装置（画像形成装置１）は、上記態様１において、上記動画データは、静止画からなるコマが複数組み合わされることによって構成されており、上記画像変換部１４は、上記動画データを構成する複数のコマのうちの一部を抽出することにより、上記動画データを上記静止画データに変換する構成である。
【００６７】
上記の構成によれば、動画データを容易かつ適切に静止画データに変換することができる。
【００６８】
本発明の態様３にかかる印刷データ生成装置（画像形成装置１）は、上記態様２において、上記画像変換部１４は、上記字幕データに対応する字幕画像の内容が切り替わるタイミング毎に上記コマを抽出する構成である。
【００６９】
動画データは１秒間あたり数十コマ（例えば３０ｆｐｓの場合、１秒間に３０コマ）あり、全てのコマを印刷すると印刷量が膨大になる。このため、全てのコマのうちの一部のコマを抽出して印刷することが考えられるが、その場合にはどのコマを抽出して印刷するかを選択することは容易でない。そこで、上記の構成では、字幕画像の内容が切り替わるタイミング毎に静止画のコマの抽出を行う。これにより、一般に字幕画像の内容が切り替わるときには動画の内容も大きく変化する場合が多いので、動画の内容に応じた静止画を適切に選択して印刷することができる。
【００７０】
本発明の態様４にかかる印刷データ生成装置（画像形成装置１）は、上記態様２において、上記画像変換部１４は、上記字幕データに対応する字幕画像の内容が切り替わる周期に応じて、１つの字幕画像の表示期間毎に所定数の上記コマが抽出されるように上記コマの抽出タイミングを設定する構成である。
【００７１】
上記の構成によれば、動画の内容に応じた静止画を適切に選択して印刷することができる。
【００７２】
本発明の態様５にかかる印刷データ生成装置（画像形成装置１）は、上記態様１から４のいずれかにおいて、上記印刷データ生成部は、上記字幕画像が上記静止画の一部に重畳する位置に印刷されるように上記印刷データを生成する構成である。
【００７３】
上記の構成によれば、字幕画像を静止画と重畳させて印刷することで、静止画像と字幕画像とを別々の領域に印刷する場合に比べて、字幕画像の視認性を高めるとともに、記録材上における印刷スペースを有効利用することができる。
【００７４】
本発明の態様６にかかる印刷データ生成装置（画像形成装置１）は、上記態様１から４のいずれかにおいて、上記印刷データ生成部１６は、上記字幕画像が上記静止画と重畳しない位置に印刷されるように上記印刷データを生成する構成である。
【００７５】
上記の構成によれば、静止画と字幕画像とを重畳しない位置に印刷することで、静止画の視認性を高めることができる。
【００７６】
本発明の態様７にかかる印刷データ生成装置（画像形成装置１）は、上記態様１から６のいずれかにおいて、上記印刷データ生成部１６は、上記静止画の印刷サイズに応じて、またはユーザからの指示入力に応じて、上記静止画の印刷サイズに対する上記字幕画像の印刷サイズの比率を設定する構成である。
【００７７】
記録材に対する静止画の印刷サイズが小さい場合（例えば１枚の記録材上に複数の静止画を並べて印刷する場合など）、静止画の印刷サイズに対する字幕画像の印刷サイズを一律に設定していると、字幕画像の印刷サイズが小さくなりすぎて視認性が著しく低下する場合がある。また、記録材に対する静止画の印刷サイズが大きい場合、静止画の印刷サイズに対する字幕画像の印刷サイズを一律に設定していると、字幕画像の印刷サイズが大きくなりすぎて字幕画像が目立ちすぎる場合がある。これに対して、上記の構成によれば、上記静止画の印刷サイズに応じて、またはユーザからの指示入力に応じて、上記静止画の印刷サイズに対する上記字幕画像の印刷サイズの比率を設定することにより、字幕画像の視認性が低下したり字幕画像が目立ちすぎたりすることを抑制できる。
【００７８】
本発明の態様８にかかる印刷データ生成装置（画像形成装置１）は、上記態様１から７のいずれかにおいて、ユーザからの指示入力を受け付ける指示入力部を備え、上記印刷データ生成部１６は、上記静止画と上記字幕画像とを含む画像を印刷するための印刷データを生成するか、あるいは、上記静止画を印刷せずに上記字幕画像を印刷するための印刷データを生成するかを、ユーザからの指示入力に応じて設定する構成である。
【００７９】
上記の構成によれば、上記静止画と上記字幕画像とを含む画像を印刷するための印刷データを生成するか、あるいは、上記静止画を印刷せずに上記字幕画像を印刷するための印刷データを生成するかを、ユーザが任意に設定することができる。
【００８０】
本発明の態様９にかかる印刷データ生成装置（画像形成装置１）は、上記態様１から８のいずれかにおいて、ユーザからの指示入力を受け付ける指示入力部を備え、上記印刷データ生成部１６は、上記静止画と上記字幕画像とを含む画像を印刷するための印刷データを生成するか、あるいは、上記字幕画像を印刷せずに上記静止画を印刷するための印刷データを生成するかを、ユーザからの指示入力に応じて設定する構成である。
【００８１】
上記の構成によれば、上記静止画と上記字幕画像とを含む画像を印刷するための印刷データを生成するか、あるいは、上記字幕画像を印刷せずに上記静止画を印刷するための印刷データを生成するかを、ユーザが任意に設定することができる。例えば、綺麗な風景の動画データの印刷を行う場合には字幕を印刷せずに動画に対応する静止画のみを印刷するなど、動画の種類や印刷の目的等に応じてユーザが印刷対象を任意に設定することができる。
【００８２】
本発明の画像形成装置１は、上記したいずれかの印刷データ生成装置と、印刷データに応じた画像を記録材上に印刷する画像形成部（印刷処理部１８）とを備えていることを特徴としている。
【００８３】
上記の構成によれば、動画データと字幕データとを含む動画ファイルに基づいて、上記動画データに対応する静止画と上記字幕データに対応する字幕画像とを含む画像を記録材上に印刷することができる。
【００８４】
本発明の印刷データ生成方法は、画像ファイルに含まれる動画データを静止画データに変換する画像変換工程と、上記静止画データに対応する静止画と上記画像ファイルに含まれる字幕データに対応する字幕画像とを含む画像を記録材上に印刷するための印刷データを生成する印刷データ生成工程とをコンピュータに実行させることを特徴としている。
【００８５】
上記の方法によれば、動画データと字幕データとを含む動画ファイルに基づいて静止画と字幕とを含む画像を印刷するための印刷データを作成することができる。
【００８６】
本発明の各態様に係る印刷データ生成装置は、コンピュータによって実現してもよく、この場合には、コンピュータを上記画像変換部および上記印刷データ生成部として動作させることにより上記印刷データ生成装置をコンピュータにて実現させるプログラム、およびそれを記録したコンピュータ読み取り可能な記録媒体も本発明の範疇に含まれる。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８８】
本発明は、動画データに基づいて静止画の印刷データを作成する印刷データ生成装置、画像形成装置、印刷データ生成方法、プログラムおよび記録媒体に適用できる。
【符号の説明】
【００８９】
１    画像形成装置（印刷データ生成装置）
１１  通信部
１２  メモリ読取部
１３  ファイル判別部
１４  画像変換部
１５  データ分離部
１６  印刷データ生成部
１７  印刷データ記憶部
１８  印刷処理部
【図１】
2015026913.tif 000003
【図２】
2015026913.tif 000004
【図３】
2015026913.tif 000005
【図４】
2015026913.tif 000006
【図５】
2015026913.tif 000007
【図６】
2015026913.tif 000008
【図７】
2015026913.tif 000009
【図８】
2015026913.tif 000010